【事件の表示】
　特願２００１−　１４００８「電気コネクタ」拒絶査定不服審判事件〔平成１４年　８月　２日出願公開、特開２００２−２１６８９２〕について、次のとおり審決する。
【結　論】
　本件審判の請求は、成り立たない。
【理　由】
１．手続の経緯
　本願は、平成１３年１月２３日の出願であって平成１８年７月２８日付けで拒絶査定がなされ（発送：平成１８年８月１日）、これに対し、平成１８年８月３１日に拒絶査定不服審判の請求がなされるとともに、平成１８年９月１９日付けで明細書についての手続補正がなされたものである。
　
２．平成１８年９月１９日付けの手続補正についての補正却下の決定
　　　
［補正却下の決定の結論］
　平成１８年９月１９日付けの手続補正（以下「本件補正」という）を却下する。
　
［理由］
（１）補正後の本願発明
　本件補正により、特許請求の範囲の請求項１は、次のように補正された。「　相手コネクタとの嵌合方向に延びる軸線と平行に複数の端子がハウジングに植設された該ハウジングの外周面にスリーブが取付けられたコネクタ本体と、該コネクタ本体の周面で軸線まわりに回転自在に支持されていて該コネクタ本体を相手コネクタと締結せしめるナットと、該コネクタ本体の後部に取りつけられる曲管状のケーブル管体とを備える電気コネクタにおいて、コネクタ本体は、上記ケーブル管体をコネクタ本体との嵌合位置にて該コネクタ本体に対して上記軸線の方向で固定する後部ナットが軸線方向で上記スリーブの範囲内に位置し軸
線方向でケーブル管体とは反対側の部分でコネクタ本体に対しての軸線方向位置規制を受けつつ軸線まわりに回転自在に
該外
を受入れる
軸線方向でケーブル管体の方に向けて開口して
外
とを有し
　
（２）補正の目的
　本件補正は、請求項１に記載した発明を特定するために必要な事項である「後部ナット」について、「軸線方向でケーブル管体とは反対側の部分でコネクタ本体に対しての軸線方向位置規制を受けつつ軸線まわりに回転自在に」設けられているとの限定を付加し、「環状の受入溝」について、「該外ねじ部を受入れるための」ものであり、「軸線方向でケーブル管体の方に向けて開口して」形成されているとの限定を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
（３）独立特許要件
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（３）−１　引用例の記載事項
　原査定の拒絶の理由に引用された、米国特許第２３７１５５１号明細書（以下「引用例」という）には、図面と共に次の事項が記載されている（翻訳は当審による）。
　　　
　ア　This invention relates to electrical connectors more particularly for use in aircraft and other precision equipment subject to severe conditions.
「この発明は電気コネクタ、より詳しくは航空機や厳しい環境に置かれる精密機器用の電気コネクタに関する。」（明細書１ページ左欄１〜３行）
　
　イ　The body part or plug shell 11,which mates with the body part or receptacle shell 10 to complete a connection , has,as already alluded to, a smooth cylindrical part 38 of a diameter to be just slidingly received within the interior 26 of the shell through the open end 27 of the latter , the interior 26 having a longitudinal key 39 on its inner surface which enters a mating keyway 40 on the exterior of the part 38 to fix a single rotative position of the part 38 with respect to the shell 10. An outwardly directed annular flange 41 limits extent of insertion of the part 11 in the shell 10, and this flange also forms a bearing for an inwardly directed flange 42 of a thirdbody part 12 which functions as a coupling collar for the body part 10 and 11 and is interiorly threaded as at 43(Fig.2) to screw upon the external threads 44 of the body  part 10 . Thus rotaion of the coupling collar 12, which turns freely upon the body part 11 faciliated by knurling 45 , causes a telescoping interengagement of the plug part 38 with the shell 10 and forces the prongs 24 into the female contact elements carried by an insulating core 46 housed snugly within the body part 11, one of these female contact elements 47 being shown separately in Fig.4. The core 48 , which is also advantageously of phenolic condensation material , is inserted from the rear open end 48 of the body shell 11 , the shell interior and the core exterior having mating shoulders as at 49 to limit the extent of insertion of the core into the body shell and also  having mating key 50 in the interior of its body and keyway 46a in the core to fix a single rotative relationship of these parts.
「結合を完成させるために胴部つまり受容シェル１０と対になる、胴部つまりプラグシェル１１は、すでに述べたように、シェル１０の開口端２７を通ってその内側２６にちょうど摺動可能に受け入れられるだけの大きさの直径の滑らかな円筒部分３８を有する。内側２６は長手方向のキー３９を内面上に有し、部分３８の外側の対になるキー溝４０に嵌合して、部分３８をシェル１０に対して唯一の回転位置関係で固定する。外側に向いた環状フランジ４１は胴部１１のシェル１０への挿入長さを制限し、またこのフランジは、胴部１０と１１のカプリングカラーとして機能する、胴部１０の外ネジ４４に螺合する４３（図２）で示す内ネジが切られた第三胴部１２の内側に向いたフランジ４２の軸受けを構成する。このように、カプリングカラー１２はローレット４５により容易に胴部１１上で自由回転し、プラグ部分３８とシェル１０との間のテレスコピックな嵌合を作りだし、端子突起２４を、胴部１１内に密に納まった絶縁コア４６に支持された雌コンタクト素子に嵌合させる。これらの雌コンタクト素子４７の一つを分離して４図に示す。コア４６は、同様にフェノール重合材料で形成されるのが好ましく、胴部シェル１１の後部開口端４８より挿入されるが、シェル内面とコア外面とは胴部シェルへのコアの挿入深さを制限するための対になる肩部４９を有し、また同様の対になる胴部内面のキー５０とコア側のキー溝４６ａとを有し、これらの部材を唯一の回転位置関係に固定する。」（明細書１ページ右欄４７行〜２ページ左欄２６行）
　
　ウ　For this purpose, the end of the elbow which adjoins the body shell 11 carries the fully rotatable coupler ring 14 which is interiorly threadedas at 87 to screw upon the external threads 88 of the body shell 11. The coupler ring 14 has a smooth annular flange 89 which rides in an annular counterbore 90 in the rectangular and in this instance square swivel plate 13 , which latter at its corners has tapped holes 91 adapted to mate with registering holes 92 in the square to mate with registering holes 92 in the square face 93 of the elbow casing 15.Machine screws 94 pass freely through the holes 91 to secure the coupler ring 14 to both the swivel plate 13 and the face 93 with the coupler ring flange 89 therebetween. Until the screws 94 are tightened the elbow casing 15 may therefore be swiveled on the coupler ring 14 and located at any position desired in a plane perpendicular to the axis of the coupler ring 14 , as indicated by the broken lines in Fig.3.  … When , now, a desired angle has been determined upon for the elbow casing 15, the screws 94 may be tightened and the annular flange 89 of the coupling ring 14 thus clamped between the swivel plate 13 and the face 93 of the elbow casing , the counterbore 90 of the swivel plate 13 being made slightly shallower than the thickness of the annular flange 89 of the coupler ring, so that a clearance 97  remains at all times to permit the desired clamping action  to fix the relative rotative relationships of the coupler ring 14 and the elbow casing 15.
「このために、胴部シェル１１に隣接するエルボ端には、自由回転可能なカプラリング１４があって、それには胴部シェル１１の外ネジ８８と螺合するための内ネジ８７が切ってある。カプラリング１４は、矩形、実施例では正方形の旋回板１３の環状のカウンターボア９０にはまる滑らかな環状フランジ８９を有するが、この旋回板は角部に、エルボケーシング１５の正方形の面９３の位置決め穴９２と対になるねじ穴９１を有している。マシンボルト９４は穴９２を自由に通り、旋回板１３と面９３との間にカプラリングフランジ８９をはさんで、両者に対してカプラリング１４を固定するために穴９１に螺合する。ボルト９４を締めるまでは、エルボケーシング１５はカプラリング１４上で揺動可能であり、３図の破線で示すようにカプラリング１４の軸に直交する面内の任意の位置をとることができる。　・・・（中略）・・・　エルボケーシング１５の所望の角度が決定されると、ボルト９４は締め付けられカプラリング１４の環状フランジ８９は旋回板１３とエルボケーシングの面９３との間に挟持されるが、旋回板１３のカウンターボア９０はカプラリングの環状フランジ８９の厚みよりやや浅く作られているので、クリアランス９７はカプラリング１４とエルボケーシング１５との間の回転位置関係を固定するための挟持動作を常に可能とする。」（明細書３ページ左欄３４〜７３行）
　
　そして、Ｆｉｇ２（図２）には、受容シェル１０と胴部シェル１１とエルボケーシング１５が結合された状態の電気コネクタの断面が図示されている。
　　
　さらに、記載「イ」に関連してＦｉｇ２（図２）には、胴部シェル１１にカプリングカラー１２が取り付けられ、胴部シェル１１の円筒部分３８とカプリングカラー１２との間の環状の溝部分に受容シェル１０が嵌合し、受容シェル１０の軸方向に延びる端子突起２４が胴部シェル１１の内側にある絶縁コア４６の軸方向に延びる雌コンタクト素子４７に嵌合した状態が示されている。また、記載ウに関連して、胴部シェル１１の後部の外ネジ８８がカプラリング１４の内ネジ８７と螺合することによって胴部シェル１１がエルボケーシング１５に取り付けられている状態が示されている。
　
　上記記載事項について検討すると、まず、引用例には電気コネクタが記載されており（記載「ア」）、記載「イ」に「結合を完成させるために胴部つまり受容シェル１０と対になる、胴部つまりプラグシェル１１は」とあるように、この電気コネクタは、受容シェル１０と対になる、胴部シェルまたはプラグシェル１１を有し、記載「ウ」に「胴部シェル１１に隣接するエルボ端には、自由回転可能なカプラリング１４があって、それには胴部シェル１１の外ネジ８８と螺合するための内ネジ８７が切ってある」とあり、図２にも示されるように、この電気コネクタの胴部シェル１１の後部にはカプラリング１４を介してエルボケーシング１５が取り付けられている。
　　　
　そして、記載「イ」に「カプリングカラー１２はローレット４５により容易に胴部１１上で自由回転し、プラグ部分３８とシェル１０との間のテレスコピックな嵌合を作りだし、端子突起２４を、胴部１１内に密に納まった絶縁コア４６に支持された雌コンタクト素子に嵌合させる」とあるように、胴部シェル１１には受容シェル１０に胴部シェル１１を締結させるためのカプリングカラー１２がその周面で軸まわりに自由回転可能に設けられており、また、同じく「胴部１０と１１のカプリングカラーとして機能する、胴部１０の外ネジ４４に螺合する４３（図２）で示す内ネジが切られた第三胴部１２」とあるように、このカプリングカラー（第三胴部）１２には受容シェル（胴部）１０の外ネジ４４に螺合する内ネジ４３が切られており、記載「イ」に「胴部つまりプラグシェル１１は、すでに述べたように、シェル１０の開口端２７を通ってその内側２６にちょうど摺動可能に受け入れられるだけの大きさの直径の滑らかな円筒部分３８を有する」とあるように、受容シェル１０は、胴部シェル１１の円筒部分３８とカプリングカラー１２との間の環状の溝部分に嵌合して、カプリングカラー１２によって締結される。
　　　
　さらに、記載「イ」に「カプリングカラー１２は・・・プラグ部分３８とシェル１０との間のテレスコピックな嵌合を作りだし、端子突起２４を、胴部１１内に密に納まった絶縁コア４６に支持された雌コンタクト素子に嵌合させる」とあり、図２にも示されるように、胴部シェル１１には、受容シェル１０との嵌合方向に延びる軸と平行に複数の雌コンタクト素子４７が絶縁コア４２に設けられているといえる。なお、胴部シェル１１における絶縁コア４２の外側の円筒状部分を、以下便宜上「シェル部材」と呼ぶ。
　　
　加えて、記載「ウ」に、「ボルト９４を締めるまでは、エルボケーシング１５はカプラリング１４上で揺動可能であり」とあるように、カプラリング１４及びこれに締結された胴部シェル１１は、エルボケーシング１５と相対回転可能に支持されるが、同じく「エルボケーシング１５の所望の角度が決定されると、ボルト９４は締め付けられカプラリング１４の環状フランジ８９は旋回板１３とエルボケーシングの面９３との間に挟持され」、「回転位置関係を固定する」とあるように、胴部シェル１１とエルボケーシング１４は締め付けにより軸まわりの相対回転動を規制する手段を有しているといえる。なお、カプラリング１４がエルボケーシング１５に対して軸方向位置規制を受けていることは、その構造上明らかである。
　
　これら記載事項及び図示内容を総合し、本願補正発明の記載ぶりに則って整理すると、引用例には、次の発明（以下「引用発明」という）が記載されている。
　
「受容シェル１０との嵌合方向に延びる軸と平行に複数の雌コンタクト素子４７が絶縁コア４２に設けられた該絶縁コア４２の外周面にシェル部材が取り付けられた胴部シェル１１と、該胴部シェル１１の周面で軸まわりに自由回転可能に支持されていて、該胴部シェル１１を受容シェル１０と締結せしめるカプリングカラー１２と、該胴部シェル１１の後部に取り付けられるエルボケーシング１５とを備える電気コネクタにおいて、上記エルボケーシング１５を胴部シェル１１との嵌合位置にて該胴部シェル１１に対して上記軸の方向で固定するカプラリング１４がエルボケーシング１５に対しての軸方向位置規制をうけつつ軸まわりに回転自在に設けられており、上記カプラリング１４の内ネジとシェル部材の外ネジとが螺合して固定され、上記胴部シェル１１とエルボケーシング１５は締め付けにより該軸まわりの相対回転動を規制する手段を有している電気コネクタ。」
　
（３）−２対比
　本願補正発明と引用発明とを対比すると、各文言の意味、機能または作用等からみて、引用発明の「受容シェル１０」は、本願補正発明の「相手コネクタ」に相当し、以下同様に、「雌コンタクト素子４７」は「端子」に、「絶縁コア４２」は「ハウジング」に、「シェル部材」は「スリーブ」に、「胴部シェル１１」は「コネクタ本体」に、「カプリングカラー１２」は「ナット」に、「エルボケーシング１５」は「ケーブル管体」に、「電気コネクタ」は「電気コネクタ」に、それぞれ相当する。
　
　また、引用発明の「カプラリング１４」は、コネクタ本体（胴部シェル１１）のケーブル管体（エルボケーシング１５）側、すなわち「コネクタ本体の後部」に位置し、コネクタ本体とケーブル管体とを固定するための「ナット部材」であるから、本願補正発明における「後部ナット」に相当している。
　
　そこで、本願補正発明の用語を用いて表現すると、両者は次の点で一致する。
　　　
（一致点）
「相手コネクタとの嵌合方向に延びる軸線と平行に複数の端子がハウジングに植設された該ハウジングの外周面にスリーブが取付けられたコネクタ本体と、該コネクタ本体の周面で軸線まわりに回転自在に支持されていて該コネクタ本体を相手コネクタと締結せしめるナットと、該コネクタ本体の後部に取りつけられる曲管状のケーブル管体とを備える電気コネクタにおいて、コネクタ本体とケーブル管体のどちらか一方に、他方を一方との嵌合位置にて一方に対して上記軸線の方向で固定する後部ナットが軸線方向で他方とは反対側の部分で一方に対しての軸線方向位置規制を受けつつ軸線まわりに回転自在に設けられており、上記他方の端部に形成された外ねじ部が上記後部ナットの内ねじ部と螺合して固定され、上記コネクタ本体とケーブル管体は、該軸線まわりの相対回転動を規制する手段を有している電気コネクタ。」
　
　そして、両者は次の点で相違する（対応する引用発明（引用例記載）の用語を（　）内に示す）。
　　　
［相違点１］
　コネクタ本体とケーブル管体とを固定する「後部ナット」が、本願補正発明においては、両者のうち「コネクタ本体」の方に設けられており、その内ねじ部が「ケーブル管体」に形成された外ねじ部に螺合するものであるのに対し、引用発明においては、両者のうち「ケーブル管体」（エルボケーシング１５）の方に設けられており、その内ねじ部が「コネクタ本体」に形成された外ねじ部に螺合するものである点。
　
［相違点２］
　「後部ナット」が、本願補正発明においては、軸線方向でスリーブの範囲内に位置するものであるのに対し、引用発明においては、スリーブ（シェル部材）よりもケーブル管体（エルボケーシング１５）側にわずかに延出している点。　
　
［相違点３］
　「後部ナットの内ねじ部」と「外ねじ部」との螺合が、本願補正発明においては、後部ナットの内ねじ面とスリーブの外周面との間に、外ねじ部を受入れるための環状の受入溝が軸線方向で外ねじ部の方に向けて開口して形成され、該受入溝を形成するスリーブの外周面と該受入溝に受入れられる外ねじ部分の内周面とが嵌合周面を形成し、外ねじ部が該受入溝内で上記後部ナットの内ねじ部と螺合して固定され」ているのに対し、引用発明においては、後部ナットの内ねじ面とスリーブの外周面との間に、このような受入溝を構成するものではない点。
　
［相違点４］
　「軸線まわりの相対回転動を規制する手段」が本願補正発明においては、「嵌合周面に形成され互いに軸線方向に係合する突条部と凹条部とを有し周方向で等間隔の複数位置に設けられている係合部」であるのに対し、引用発明においては、「締め付け」により該軸まわりの相対回転動を規制するものである点。
　
（３）−３相違点の判断
　上記相違点について検討する。
　　　
［相違点１について］
　コネクタ本体（胴部シェル１１）とケーブル管体（エルボケーシング１５）とを螺合によって固定するにあたり、後部ナット部材をコネクタ本体とケーブル管体のいずれの側に設けるかは、これらを設置するにあたっての配置等を勘案して当業者が必要に応じ適宜選択し得た設計的事項であるといえる。
　　　
　また、ケーブル管体に外ねじ部を設けたものが周知である（例えば、実公昭４２−１２０５５号公報（連結管１２参照）、米国特許第３８６０３１５号明細書（管状素子２参照）等参照。）ことからみても、引用発明において、ケーブル管体側に外ねじ部を設けて、相違点１に係る本願補正発明の発明特定事項のようにすることは当業者が適宜なし得たことにすぎない。
　
［相違点２について］
　コネクタ本体とケーブル管体とを固定するナット部材を、軸線方向でコネクタ本体の範囲内に位置するものとすることは、例えば実願平２−３４５０９号（実開平３−１２６３８１号）のマイクロフィルムの第８図にも記載されるように周知のものであり、本願補正発明において、後部ナットをコネクタ本体のスリーブの範囲内に位置するものとした点は、当業者が適宜為し得る程度の設計的事項に過ぎないものである。
　
［相違点３について］
　ナット部材と外ねじ部とを用いたコネクタの接続構造として、スリーブとナットとの間に相手側の外ねじ部を受け入れるための管状の受入溝を形成した形式の接続構造自体は、周知のものである（例えば、引用発明の胴部シェル１１の受容シェル１０に対する接続構造参照。）。
　
　すなわち、引用発明において、胴部シェル１１には受容シェル１０に胴部シェル１１を締結させるためのナットに相当するカプリングカラー１２が、環状フランジ４１により軸方向に位置規制を受けるとともに軸線方向で胴部シェル１１の範囲内で軸まわりに自由回転可能に設けられており、受容シェル１０は、胴部シェル１１の円筒部分３８とカプリングカラー１２との間の環状の溝部分に嵌合して、受容シェル１０の外ねじとカプリングカラー１２の内ねじとを螺合することにより締結されるようになっている（記載「イ」参照。）。
　　
　また、かかる接続構造は、ありふれたものにすぎない（例えば、実願平２−３４５０９号（実開平３−１２６３８１号）のマイクロフィルム（前半円筒部２３，螺合結合環２９，円筒部１１を含む接続構造参照）、米国特許第２２８６９５２号明細書（明細書２ページ右欄２〜１３行記載のインナシリンダ２２，グランドナット３０，円筒体１８を含む接続構造参照。）参照。）。
　　
　したがって、引用発明において、ナット部材と外ねじ部とを用いたコネクタの接続構造として、かかる周知の接続構造をコネクタ本体（胴部シェル１１）とケーブル管体（エルボケーシング１５）との接続に適用して、相違点３に係る本願補正発明の発明特定事項のようにすることは当業者が容易に想到し得たことである。
　
［相違点４について］
　コネクタにおいて、嵌合しあう部材間の軸線まわりの相対回転動を規制する手段として、キーとキー溝を用いたものが周知であり、例えば引用例にも、受容シェル１０と胴部シェル１１との相対回転動を規制するために、受容シェル１０の内面２６にキー３９を、そして胴部シェル１１の滑らかな円筒部分３８の外面に対になるキー溝４０を備え回転位置関係を固定することが記載されている（記載「イ」参照。）。
　　　
　本願補正発明の「突条部」は、このようなキーに対応し、「凹条部」は、キー溝に対応するものであるが、かかるキーによる相対回転動規制手段として、部材の周方向に一つまたは複数のキーと対応する複数のキー溝とを等間隔に設け、嵌合しあう部材間の回転位置関係を選択可能にしたものも、同様に従来周知のものである（例えば、特開平９−３０６６０３号公報（図４（ハ）の、外部導体１２とブッシング５に、それぞれ周方向に等間隔に設けられたキー１６とキー溝６参照）、米国特許第２３７４９７１号明細書（軸方向突出部３４と複数の歯２０間に構成された溝とにより、シェル１４とエルボ２２との間の軸周りの位置関係を選択的に固定する点参照）等参照。）。　　
　そこで、引用発明に、相対回転動を規制する手段としてかかる周知技術を適用して、相違点４に係る本願補正発明の発明特定事項のようにすることは当業者が容易に想到し得たことである。
　
　さらに、本願補正発明による効果も、引用発明及び周知技術から当業者が予測し得た程度のものであって、格別のものとはいえない。
　
　したがって、本願補正発明は、引用発明及び周知技術に基いて、当業者が容易に発明をすることができたものであるから、特許法第２９条第２項の規定により、特許出願の際独立して特許を受けることができない。
　
（３）−４むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明
　本件補正は、上記のとおり却下されたので、本願の請求項１に係る発明（以下、同項記載の発明を、「本願発明」という）は、平成１８年２月１３日付けの手続補正書により補正された明細書の、特許請求の範囲の請求項１に記載された事項により特定される、次のとおりのものである。
　　　
「　相手コネクタとの嵌合方向に延びる軸線と平行に複数の端子がハウジングに植設された該ハウジングの外周面にスリーブが取付けられたコネクタ本体と、該コネクタ本体の周面で軸線まわりに回転自在に支持されていて該コネクタ本体を相手コネクタと締結せしめるナットと、該コネクタ本体の後部に取りつけられる曲管状のケーブル管体とを備える電気コネクタにおいて、コネクタ本体は、上記ケーブル管体をコネクタ本体との嵌合位置にて該コネクタ本体に対して上記軸線の方向で固定する後部ナットが軸線方向で上記スリーブの範囲内に位置して設けられており、上記後部ナットの内ねじ面とスリーブの外周面との間に、外ねじが端部に形成されたケーブル管体のねじ部のための環状の受入溝が形成され、該受入溝を形成するスリーブの外周面と該受入溝に受入れられるケーブル管体の内周面とが嵌合周面を形成し、上記ケーブル管体のねじ部が該受入溝内で上記後部ナットの内ねじ部と螺合して固定され、上記コネクタ本体とケーブル管体は、互いに上記軸線の方向に嵌合することにより該軸線まわりの相対回転動を規制する係合部を有しており、該係合部は上記嵌合周面に形成され互いに軸線方向に係合する突条部と凹条部が周方向で等間隔の複数位置に設けられていることを特徴とする電気コネクタ。」
　
４．引用例の記載事項
　原査定の拒絶の理由に引用された引用例、及び、その記載事項は、前記「２.（３）−１」に記載したとおりである。
　
５．対比・判断
　本願発明は、前記「２．（１）」の本願補正発明から、「後部ナット」についての限定事項である「軸線方向でケーブル管体とは反対側の部分でコネクタ本体に対しての軸線方向位置規制を受けつつ軸線まわりに回転自在に」設けられているとの構成を省き、また、「環状の受入溝」についての限定事項である、「該外ねじ部を受入れるための」ものであり、「軸線方向でケーブル管体の方に向けて開口して」形成されているとの構成を省いたものである。
　
　そうすると、本願発明の発明特定事項をすべて含み、さらに、他の発明特定事項を付加したものに相当する本願補正発明が、前記「２．（３）−３」に記載したとおり、引用発明及び周知技術に基いて、当業者が容易に発明をすることができたものであるから、本願発明も、同様に、引用発明及び周知技術に基いて、当業者が容易に発明をすることができたものである。
　
６．むすび
　以上のとおり、本願発明は、引用発明及び周知技術に基いて、当業者が容易に発明をすることができたものであるから、特許法第２９条第２項の規定により、特許を受けることができない。
　　　
　よって、結論のとおり審決する。